(57)【要約】      （修正有）【課題】炎の揺らぎが不自然でなく、複雑な装置を必要としない、ＬＥＤを用いた光学装飾品、更には、趣向を凝らした外観を有する光学装飾品を提供する。【解決手段】炎の形状を有する薄板２１、薄板を略斜め下から照らすように設置されたＬＥＤ２２、及び、薄板に揺らぎ動作を与える作動装置２３を有する、蝋燭の外観をした光学装飾品であって、作動装置には、「薄板の下部に存在する支点Ａ」、及び、「支点の下部に存在し永久磁石を有する錘Ｂ」を少なくとも具備した薄板揺らぎ支持部分２３ａが具備され、作動装置が、永久磁石から離れた位置に固定された電磁石２３ｂに流れる電流値によって、薄板揺らぎ支持部分が有する「永久磁石を有する錘Ｂ」を動かして、薄板に揺らぎ動作を与える。【選択図】図３
0003224245.tif 000002
【実用新案登録請求の範囲】
【請求項１】
炎の形状を有する薄板、該薄板を略斜め下から照らすように設置されたＬＥＤ、及び、該薄板に揺らぎ動作を与える作動装置を有する、蝋燭の外観をした光学装飾品であって、
該作動装置には、「該薄板の下部に存在する支点」、及び、「該支点の下部に存在し永久磁石を有する錘」を少なくとも具備した薄板揺らぎ支持部分が具備されており、
該作動装置が、該永久磁石から離れた位置に固定された電磁石に流れる電流値によって、薄板揺らぎ支持部分が有する「永久磁石を有する錘」を動かして、該薄板に揺らぎ動作を与えるような構成になっていることを特徴とする光学装飾品。
【請求項２】
上記ＬＥＤの点灯開始と、上記作動装置の駆動開始とが、同時に行えるようになっている請求項１に記載の光学装飾品。
【請求項３】
リモコンで、上記ＬＥＤの点灯と消灯、及び、上記作動装置の駆動開始と終了とが行えるようになっている請求項２に記載の光学装飾品。
【請求項４】
上記蝋燭の外観が、和蝋燭の外観である請求項１ないし請求項３の何れかの請求項に記載の光学装飾品。
【請求項５】
「上記薄板、上記ＬＥＤ、上記作動装置、及び、それらの筐体を有する揺らぎ炎発生部材」、並びに、「該揺らぎ炎発生部材の下に位置する和蝋燭様部材」を有する請求項４に記載の光学装飾品。
【請求項６】
上記和蝋燭様部材が、和蝋燭のクリーム色をした合成樹脂でできている請求項５に記載の光学装飾品。
【請求項７】
上記揺らぎ炎発生部材の筐体が、和蝋燭のクリーム色をした合成樹脂でできている請求項５又は請求項６に記載の光学装飾品。
【請求項８】
上記作動装置が具備する上記薄板揺らぎ支持部分が、ヤジロベエの原理で上記薄板に揺らぎ動作を与えるような構成になっている請求項１ないし請求項７の何れかの請求項に記載の光学装飾品。
【考案の詳細な説明】
【技術分野】
【０００１】
本考案は、蝋燭の外観をした光学装飾品に関し、更に詳しくは、炎の形状を有する薄板、及び、該薄板を略斜め下から照らすように設置されたＬＥＤを有し、蝋燭の外観をした光学装飾品に関する。
【背景技術】
【０００２】
ＬＥＤから放射される光を用いて、昔からの照明器具を模した光学装飾品や照明装置が知られている。昔からの照明器具の光源は、主に炎であるので、かかる「ＬＥＤを用いた光学装飾品や照明装置」の発明や考案は、炎を如何に再現するかの発明や考案が多い。
【０００３】
また、現代における主に装飾品としての価値を高めるために、種々の「昔からの照明器具」が採用されている。そのようなものとして、蝋燭、行燈、松明、それらを有する照明器具、等が挙げられる。
【０００４】
特許文献１には、ＬＥＤからの光が入射する入射部、該光を散乱させる散乱部等を有する光学部材が記載されている。そして、ＬＥＤチップに流れる電流量を変化させたり、モータ駆動によって光学部材を回転させたり、光学部材の頂点が規則的又は不規則に動くように構成させたりして、蝋燭の炎のゆらぎを模すことができるとしている。
【０００５】
特許文献２には、従来の蝋燭用提灯において、ＬＥＤの直接光を拡散させ、該提灯内部が均等に明るくなる提灯用ＬＥＤ照明機器が記載されている。
【０００６】
特許文献３には、神様等の信仰体（神仏具）を、ＬＥＤの揺らぎ発光で照らす方法が記載されており、ＬＥＤの駆動信号を発生するための電子回路を備え、データが書き込まれたＲＯＭから読み出されたデータに基づいて揺らぎ発光を得る構成が記載されている。
【０００７】
特許文献４には、半透明又は透明の被包体を、回転軸に対して非対称に設けて、揺らぎ発光灯を得ることが記載されており、回転軸でＬＥＤを回転させることが記載されている。
【０００８】
しかしながら、上記技術は、ＬＥＤを用いた炎を模したもの（工学部材、被包体等）の揺らぎ動作が不自然であったり、装置が複雑であったりして故障も多く、コスト的にも問題があるものであった。
そこで、故障が少なく、コスト的にも問題がない、ＬＥＤを用いた光学装飾品が望まれていた。
【０００９】
また、現代の光学装飾品が模す「昔からの照明器具」としても、一般的な蝋燭、行燈、提灯、神仏具等に留まり、趣のある「昔からの照明器具」の採用（気付き）がなかった。
【先行技術文献】
【特許文献】
【００１０】
【特許文献１】特開２０１３−１２０６４６号公報
【特許文献２】特開２０１６−０２４９９３号公報
【特許文献３】特開２０００−２４５６１７号公報
【特許文献４】登録実用新案第３１５９６８５号公報
【考案の概要】
【考案が解決しようとする課題】
【００１１】
本考案は上記背景技術に鑑みてなされたものであり、その課題は、炎の揺らぎが不自然でなく、複雑な装置を必要としない、ＬＥＤを用いた光学装飾品を提供することにあり、更には、趣向を凝らした外観を有する光学装飾品を提供することにある。
【課題を解決するための手段】
【００１２】
本考案者は、上記の課題を解決すべく鋭意検討を重ねた結果、支点と錘を具備し、該錘が有する永久磁石の動きを、その下に固定された電磁石に流れる電流値によって操作すれば、炎を模した薄板に、好適に揺らぎ動作を与えられることを見出した。
更に、該薄板をＬＥＤで照らし、外観を蝋燭、特に和蝋燭にすれば、極めて趣向を凝らした光学装飾品が得られることを見出して本考案を完成するに至った。
【００１３】
すなわち、本考案は、炎の形状を有する薄板、該薄板を略斜め下から照らすように設置されたＬＥＤ、及び、該薄板に揺らぎ動作を与える作動装置を有する、蝋燭の外観をした光学装飾品であって、
該作動装置には、「該薄板の下部に存在する支点」、及び、「該支点の下部に存在し永久磁石を有する錘」を少なくとも具備した薄板揺らぎ支持部分が具備されており、
該作動装置が、該永久磁石から離れた位置に固定された電磁石に流れる電流値によって、薄板揺らぎ支持部分が有する「永久磁石を有する錘」を動かして、該薄板に揺らぎ動作を与えるような構成になっていることを特徴とする光学装飾品を提供するものである。
【００１４】
また、本考案は、上記蝋燭の外観が、和蝋燭の外観である、上記の光学装飾品を提供するものである。
【考案の効果】
【００１５】
本考案によれば、炎の形状を有する薄板に、ヤジロベエの原理で揺らぎを与えるような構成になっている。また、該原理における錘を、磁気力の大小若しくはオンオフによって非接触で動かすので、本物の炎の揺れが再現でき、故障が少なく、コスト的にも問題がない。
また、本考案によれば、「炎の形状を有する薄板」をモータ等で物理的に動かしたり、「ＬＥＤの輝度（明るさ）」若しくは「ＬＥＤで照らされた薄板の照度の揺らぎ」を、ＬＥＤに与える電流値で制御したりする必要がないので、故障が少なくコスト的にも問題がない。
【００１６】
更に、本考案において、和蝋燭の趣向を凝らせば、一般的な蝋燭、行燈、提灯等では、味わえない、趣のある光学装飾品が得られる。
【図面の簡単な説明】
【００１７】
【図１】本考案の光学装飾品の一例を示す斜視図である。
【図２】本考案の光学装飾品の一例を示す写真である。  （ａ）ＬＥＤが点灯しているときの写真  （ｂ）ＬＥＤが点灯していないときの写真  （ｃ）ＬＥＤが点灯しているときに斜め上部から見た写真
【図３】本考案の光学装飾品における「揺らぎ炎発生部材」の一例を示す概略図であって、薄板に揺らぎ動作を与える作動装置（薄板揺らぎ支持部分を含む）の一例を示す概略図である。
【図４】作動装置が具備する「薄板揺らぎ支持部分」の一例を示す概略図である。
【考案を実施するための形態】
【００１８】
以下、本考案について説明するが、本考案は以下の実施の形態に限定されるものではなく、任意に変形して実施することができる。
【００１９】
本考案の光学装飾品は、炎の形状を有する薄板、該薄板を略斜め下から照らすように設置されたＬＥＤ、及び、該薄板に揺らぎ動作を与える作動装置を有する、蝋燭の外観をした光学装飾品であって、
該作動装置には、「該薄板の下部に存在する支点」、及び、「該支点の下部に存在し永久磁石を有する錘」を少なくとも具備した薄板揺らぎ支持部分が具備されており、
該作動装置が、該永久磁石から離れた位置に固定された電磁石に流れる電流値によって、薄板揺らぎ支持部分が有する「永久磁石を有する錘」を動かして、該薄板に揺らぎ動作を与えるような構成になっていることを特徴とする。
【００２０】
本考案の光学装飾品１０は、図１に示したように、その上部に「揺らぎ炎発生部材２０」を有し、好ましくは、その下部に「和蝋燭様部材３０」を有する。
特に限定はないが、該和蝋燭様部材３０が、和蝋燭のクリーム色をした合成樹脂でできていて、和蝋燭の外観を与えるものであることが好ましい。
【００２１】
すなわち、本考案の光学装飾品１０の好ましい態様は、図１及び図２に示す通り、
その上部には、（１）薄板２１、ＬＥＤ２２、「薄板２１に揺らぎ動作を与える作動装置２３」、「それらの筐体２４」を有してなる「揺らぎ炎発生部材２０」が存在し、
その下部には、（２）和蝋燭の外観を有する「和蝋燭様部材３０」が存在する。
【００２２】
本考案の光学装飾品１０は、その最上部に、炎の形状をした薄板２１を有しており、該薄板２１は、蝋燭の炎の形状をしており、その斜め下に設置されたＬＥＤ２２から照らされるようになっている。ＬＥＤ２２のある方向に該薄板２１の面が向いていることが、薄板２１に照明が略直角に当たり、明るくなるために好ましい。
【００２３】
該薄板２１の厚さや大きさは特に限定はないが、厚さは、０．０５ｍｍ以上２ｍｍ以下が好ましく、０．１ｍｍ以上１．５ｍｍ以下がより好ましく、０．２ｍｍ以上１ｍｍ以下が特に好ましい。
大きさは、蝋燭の炎の通常の大きさが好ましいが、縦の長さとして、１．０ｃｍ以上５ｃｍ以下が好ましく、１．５ｃｍ以上４ｃｍ以下がより好ましく、２．０ｃｍ以上３ｃｍ以下が特に好ましい。
【００２４】
上記薄板２１の色は、特に限定はないが、蝋燭の炎に似ることから、白色から橙色の範囲が好ましく、薄白色から薄黄色の範囲が特に好ましい。
薄板２１の表面は、光沢があっても、艶消しになっていてもよく、平面状であっても、縦軸を基準にしてペン先のように反っていてもよい。
【００２５】
本考案の光学装飾品１０には、図１に示したように、ＬＥＤ２２があって、上記した薄板２１を斜め下から照らすような構成になっている。
ＬＥＤ２２の色は、薄板２１を照射して該薄板２１を炎の色にできれば、特に限定はないが、略白色が好ましい。該ＬＥＤ２２は、薄板２１の表面に向かって照射できるように設置されていることが好ましい。
【００２６】
本考案の光学装飾品１０は、炎の形状を有する薄板２１、該薄板２１を略斜め下から照らすように設置されたＬＥＤ２２、及び、該薄板２１に揺らぎ動作を与える作動装置２３を有している。
該作動装置２３には、図３及び図４に示したような、「薄板２１の下部に存在する支点Ａ」、及び、「支点Ａの下部に存在し永久磁石を有する錘Ｂ」を少なくとも具備した薄板揺らぎ支持部分２３ａが具備されている。
【００２７】
図３及び図４に示したように、上記した薄板２１の下部には、上に向かって凹んだ窪みが存在し、そこに針状物が嵌まり込んで、その先端が、ヤジロベエにおける支点Ａを形成している。
該支点Ａの下部には、ヤジロベエにおける錘Ｂのようなものがあり、それによって、該薄板２１が、立った状態で、支点Ａを中心に、ふらふらと動くようになっている（図３及び図４）。
すなわち、「薄板２１に揺らぎ動作を与える作動装置２３」が具備する「薄板揺らぎ支持部分２３ａ」が、ヤジロベエの原理で該薄板２１に揺らぎ動作を与えるような構成になっていることが好ましい。
【００２８】
上記作動装置２３は、錘Ｂが有する永久磁石から離れた位置に固定された電磁石２３ｂに流れる電流値によって、薄板揺らぎ支持部分２３ａが有する「永久磁石を有する錘Ｂ」を動かして、該薄板２１に揺らぎ動作を与えるような構成になっている。電磁石２３ｂの位置は、図３のように錘Ｂ（永久磁石）の真下でもよく、斜めでも横でもよい。
電流が流れて電磁石２３ｂになると、上記錘Ｂを構成する永久磁石に引力又は斥力を与えて該錘Ｂを動かし、それによって支点Ａより上部にある薄板２１を動かす。このように力を与えると、あたかも炎のように、薄板２１がひらひらと動く。
【００２９】
本考案は、上記したＬＥＤ２２の明るさを電気回路によって調整して上記薄板２１を炎のように見せるのではなく、薄板２１を炎のように動かすことによって、本物の炎や蝋燭に似せると共に、故障のないシンプルな構成にすることができた。なお、本考案は、ＬＥＤ２２の明るさを調整する（調整して炎のように見せる）ことの追加を排除するものではない。
【００３０】
本考案の光学装飾品１０においては、上記ＬＥＤ２２の点灯開始と、上記作動装置２３の駆動開始とが、同時に行えるようになっていることが、実際の蝋燭に火をつけることを再現するようであり好ましい。実際の蝋燭では、火をつけると、炎が明るく光る（炎ができる）のと同時に炎が動きだす。
【００３１】
リモコンで、上記ＬＥＤ２２の点灯と消灯、及び、上記作動装置２３の駆動開始と終了とが行えるようになっていることが、立ち上がって、光学装飾品１０まで歩いて行かなくてもよいので好ましい。なお、光学装飾品１０自体にオンオフするスイッチがあってもよく、あることが好ましい。
【００３２】
本考案の光学装飾品１０は、図１及び図２に示したように、その上部に、上記した「薄板揺らぎ支持部分２３ａ」を有し、その下部に、和蝋燭様部材３０を有し、全体として、和蝋燭の外観を有していることが、趣を出すために好ましい。
【００３３】
従って、下部に位置する上記和蝋燭様部材３０は、和蝋燭のクリーム色をした合成樹脂でできていることが、和蝋燭のような雰囲気を出すために特に好ましいが、該和蝋燭様部材３０の色と材質は、特に限定はない。該合成樹脂の種類は、限定はないが、ＡＢＳ樹脂が、撓り強度、傷の付き難さ、材料コスト等の点から特に好ましい。
【００３４】
また、上部に位置する上記揺らぎ炎発生部材２０の筐体２４も、和蝋燭のクリーム色をした合成樹脂でできていることが、和蝋燭のような雰囲気を出すために特に好ましいが、該揺らぎ炎発生部材２０の筐体２４の色と材質は、特に限定はない。該合成樹脂の種類は、限定はないが、ＡＢＳ樹脂が、撓り強度、傷の付き難さ、材料コスト等の点から特に好ましい。
【産業上の利用可能性】
【００３５】
本考案の光学装飾品は、蝋燭の特に和蝋燭の外観と、蝋燭の炎のリアルな動きを実現できるので、仏壇、テーブル、棚等の上に置くことにより、装飾品として広く利用されるものである。
【符号の説明】
【００３６】
１０    光学装飾品
２０    揺らぎ炎発生部材
２１    薄板
２２    ＬＥＤ
２３    作動装置
２３ａ  薄板揺らぎ支持部分
Ａ    支点
Ｂ    錘
２３ｂ  電磁石
２４    筐体
３０    和蝋燭様部材
【図１】
0003224245.tif 000003
【図２】
0003224245.tif 000004
【図３】
0003224245.tif 000005
【図４】
0003224245.tif 000006